【手続補正書】
【提出日】平成27年5月26日(2015.5.26)
【手続補正１】
【補正対象書類名】特許請求の範囲
【補正対象項目名】全文
【補正方法】変更
【補正の内容】
【特許請求の範囲】
【請求項１】
走査する画像の画像データを受信するステップと、
前記画像データに応答して光ビームを発生させるステップと、
第１のエッジから第１の最終エッジまで第１のパターンに従って前記光ビームを走査して少なくともひとつの画像を形成するステップであって、前記第１のパターンは、前記光ビームが第２の軸に沿って順次走査する時に、第１の軸に沿って振幅が振動するような走査線の波動パターンであり、前記第２の軸は、前記第１の軸とほぼ垂直であり、前記第１のパターンは、前記第１の軸に沿って第１の方向に向いている前記第１のエッジからの第１の振動を有する、ステップと、
第２のエッジから第２の最終エッジまで第２のパターンに従って前記光ビームを走査して少なくとも別の画像を形成するステップであって、前記第２のパターンは、前記光ビームが前記第２の軸に沿って順次走査する時に、前記第１の軸に沿って振幅が振動するような走査線の波動パターンであり、前記第２のパターンは、前記第１の軸に沿って前記第１の方向と反対である第２の方向に向いている前記第２のエッジからの第１の振動を有する、ステップと、
を含む、方法。
【請求項２】
複数の前記光ビームの第１のパターンおよび前記光ビームの第２のパターンを交互に走査するステップを含む、請求項１に記載の方法。
【請求項３】
ビデオのｎ個の完全なフレームになるように前記画像データを構成または処理するステップであって、ｎは、整数であり、前記第１のパターンは、前記ｎ個の完全なフレームのうちの奇数フレームに対応し、および前記第２のパターンは、前記ｎ個の完全なフレームのうちの偶数フレームに対応するステップを含む、請求項２に記載の方法。
【請求項４】
前記第１のエッジと前記第２のエッジとを一列に並べて前記第１の軸から等距離になるようにするステップを含む、請求項３に記載の方法。
【請求項５】
前記第１の軸に沿って方向付けられたｍ本の走査線を有するビデオのｎ個の完全なフレームになるように前記画像データを構成しまたは処理するステップと、
完全なフレームのそれぞれが第１のサブフレームおよび第２のサブフレームを備えるように構成するステップと、
前記ｍ本の走査線の一部の行を前記第１のサブフレームに割り当てるステップであって、前記第１のパターンは、前記第１のサブフレームに対応する、ステップと、
前記ｍ本の走査線の別の行を前記第２のサブフレームに割り当てるステップであって、前記第２のパターンは、前記第２のサブフレームに対応する、ステップと、
を含む、請求項２に記載の方法。
【請求項６】
前記第１のエッジと前記第２のエッジとを位置付けて前記第１の軸から異なる距離となるようにするステップを含む、請求項１に記載の方法。
【請求項７】
異なる色から成る少なくとも３つのレーザビームを用いて前記光ビームを発生させるステップを含む、請求項２に記載の方法。
【請求項８】
異なる色から成る前記光ビームを発生させるために少なくとも３つの発光ダイオードを用いるステップを含む、請求項２に記載の方法。
【請求項９】
少なくとも１つの走査ミラーを用いて、前記異なる色から成る３つのレーザビームを走査して前記光ビームを発生させるステップを含む、請求項７に記載の方法。
【請求項１０】
前記第２の軸において可変走査速度値を用いるステップを含む、請求項１に記載の方法。
【請求項１１】
前記画像データに必要な輝度レベルに応答する走査速度値を割り当てるステップを含む、請求項１０に記載の方法。
【請求項１２】
前記走査速度値を、前記第１の軸に沿って方向付けられた完全走査線に必要な全輝度レベルと反比例するように設定するステップを含む、請求項１１に記載の方法。
【請求項１３】
前記走査線が不均一な間隔になるように構成するステップであって、前記画像データは、ビデオの数ｎの完全なフレームを備え、およびあるフレームから別のフレームまでの固定数の走査線が存在する、ステップを含む、請求項１に記載の方法。
【請求項１４】
前記画像データに必要な輝度レベルに応答して走査線間隔値を割り当てるステップを含む、請求項１３に記載の方法。
【請求項１５】
前記走査線間隔値を、前記第１の軸に沿って方向付けられた前記画像データの完全な走査線に必要な全輝度レベルと反比例するように設定するステップを含む、請求項１４に記載の方法。
【請求項１６】
異なる色から成る少なくとも３つの異なる光ビームの発生源と、
表示面の前記光ビームを走査する手段と、
第１のパターンを発生させる手段であって、前記第１のパターンは、前記光ビームが前記第１の軸と垂直である第２の軸に沿って順次走査する時に、第１の軸に沿って振幅が振動するような走査線の波動パターンであり、前記第１のパターンは、前記第１の軸に沿って第１の方向に向いている第１のエッジからの第１の振動を有し、前記走査する手段は、表示面上の前記第１のエッジから第１の最終エッジまで前記第１のパターンに従って前記光ビームを走査して少なくとも１つの画像を形成するように適合される、手段と、
第２のパターンを発生させる手段であって、前記第２のパターンは、前記光ビームが前記第２の軸に沿って順次走査する時に、前記第１の軸に沿って振幅が振動するような走査線の波動パターンであり、前記第２のパターンは、前記第１の軸に沿って前記第１の方向と反対である第２の方向に向いている第２のエッジからの第１の振動を有し、前記走査する手段は、前記表示面の前記第２のエッジから第２の最終エッジまで前記第２のパターンに従って前記光ビームを走査して少なくとも別の画像を形成するように適合され、前記走査する手段は、前記光ビームの複数の前記第１のパターンおよび第２のパターンを交互に走査するように適合される、手段と、
を備える、小型プロジェクタ。
【請求項１７】
前記走査する手段は、前記第１の軸に沿って方向付けられたｍ本の走査線を有するビデオのｎ個の完全なフレームになるように画像データを処理するように構成され、
前記走査する手段は、各完全なフレームが第１のサブフレームおよび第２のサブフレームを備えるようにさせるように構成され、
前記走査する手段は、前記ｍ本の走査線の奇数行を前記第１のサブフレームに割り当てるように構成され、前記第１のパターンが前記第１のサブフレームに対応し、
前記走査する手段は、前記ｍ本の走査線の偶数行を前記第２のサブフレームに割り当てるように構成され、前記第２のパターンが前記第２のサブフレームに対応する、
請求項１６に記載の小型プロジェクタ。
【請求項１８】
前記走査する手段は、ビデオのｎ個の完全なフレームになるように前記画像データを処理するように構成され、ｎは、整数であり、前記第１のパターンは、前記ｎ個の完全なフレームのうちの奇数フレームに対応し、および前記第２のパターンは、前記ｎ個の完全なフレームのうちの偶数フレームに対応する、請求項１６に記載の小型プロジェクタ。
【請求項１９】
前記走査する手段は、走査速度値が前記第１の軸に沿って方向付けられた完全走査線に必要な全輝度レベルと反比例するように、前記画像データに必要な輝度レベルに応答して、前記第１のパターンおよび第２のパターンのそれぞれにおいて走査速度値を変えるように構成される、請求項１６に記載の小型プロジェクタ。
【手続補正２】
【補正対象書類名】明細書
【補正対象項目名】００４０
【補正方法】変更
【補正の内容】
【００４０】
本開示の第２の特徴は、可変速度走査によって生成される表示の均一性を改善するために、単独または一定の垂直速度走査または可変走査とともに使用することができるインターリーブ走査である。図５Ａおよび５Ｂは、一定の垂直速度走査を用いたインターリーブ走査の概念の例を示す。図５Ａは、図５Ｂに示すインターリーブパターンを構成する、第１のビーム１２ａと第２のビーム１２ｂから成る２つの完全に隣接したまたは背中合わせの全画像走査の垂直走査成分を具体的に示す。図５Ｂは、ビーム１２ａの第１の走査が時間Ｔ１＝０、垂直位置Ｙ＝＋ｆにおいてどのように開始されるかを示す。図５Ａに示すように、一定速度（またはビームのベースライン速度）でＴ１＝ｃ１における垂直位置Ｙ＝−ｆに向かって下るときに水平に振動するビーム１２ａが、正弦的に走査される。ビーム１２ａの走査は、図１に対する説明と同様のやり方において、最初にビームを左側に向けて開始し、そして走査の最左におけるオーバースキャン領域（即ち、左の消去領域１６）に向かわせる。図５Ｂは、第２のビーム１２ｂの走査がどのように時間Ｔ２＝０の垂直位置Ｙ＝＋ｆにおいて開始され、その後Ｔ２＝ｃ２に向かうを示す。ビームが一定速度で下に向かいながら水平に振動する第２の走査のビーム１２ｂが、正弦的に走査される。しかしながら、ここでは、走査は、図１に対する説明と同様のやり方において、最初に右側に向けて開始し、そして走査の最右における右の消去領域１５にオーバースキャンされる。その後、第１のビーム１２ａと第２のビーム１２ｂの走査を交互にしながらインターリーブが継続する。
【手続補正３】
【補正対象書類名】明細書
【補正対象項目名】００４９
【補正方法】変更
【補正の内容】
【００４９】
図９は、本発明を実装する流れ図を表す。ブロック９０１は、映し出す複数のフレームまたはサブフレームの画像データを受信するステップを表す。ブロック９０２は、画面（１１）上に映し出す発生源から複数の光ビーム（１２、１２ａ、１２ｂ）を発生させるステップを表す。ブロック９０３は、走査速度変調を持たないインターリーブを実装するかどうか、走査速度変調を持つインターリーブを実装するかどうか、またはインターリーブを持たない走査速度変調を実装するかどうかを選択するための決定ステップである。走査速度変調を持たないインターリーブが選択されると、ビデオの個々のフレームまたはサブフレームに走査方法を割り当てる、ブロック９０７に進む。ブロック９０８は、ブロック９０７で割り当てられた奇数フレームまたは第１のサブフレームに対する第１のパターンに従った光ビーム（１２ａ）の走査を表す。少なくとも１つの画像を形成するために第１のパターンの走査を画面の第１のエッジ（１３ａ）から最終エッジ（１４ａ）まで開始する。第１のパターンは、ビームが第２の軸（Ｙ軸）に沿って順次走査する時に第１の軸（Ｘ軸）に沿って振幅振動するような走査線の波動パターンであって、第２の軸は、第１の軸とほぼ垂直であり、そして第１のパターンは、第１の軸に沿って第１の方向に向いている第１のエッジからの第１の振動を有する。ブロック９０９は、ブロック９０７で割り当てられた偶数フレームまたは第２のサブフレームに対する第２のパターンに従った光ビーム（１２ａ）の走査を表す。少なくとも別の画像を形成するために第１のパターンの走査を画面の第２のエッジ（１３ａ）から第２の最終エッジ（１４ａ）まで開始する。第２のパターンは、ビームが第２の軸に沿って順次走査する時に第１の軸に沿って振幅振動するような走査線の波動パターンであり、そして第２のパターンは、第１の軸に沿って第１の方向と反対である第２の方向に向いている第２のエッジからの第１の振動を有する。
【手続補正４】
【補正対象書類名】明細書
【補正対象項目名】００５１
【補正方法】変更
【補正の内容】
【００５１】
インターリーブを持つ走査速度変調が選択されると、ブロック９１０に進む。ブロック９１０は、ビデオデータの個々のフレームまたはサブフレームの輝度特性を分析するステップを表し、線輝度検出器４０１は、ビデオの各線の最大輝度値を判定するために用いられる。次のブロック９１１は、コントローラ４０５による参照テーブル４０３の分析および選択を表し、コントローラ４０５は、特定の参照テーブルの使用と関連付けられた所与のフレームまたはサブフレームの画像を走査するために時間特性（垂直走査総時間など）および／または間隔特性（例えば、走査線集合間隔）を計算することができる。各参照テーブルの実装と関連付けられた線間隔値は、ブロック９１１に含まれることもできるフレームまたはサブフレームの総値を作成する合計ブロック４０４で合計することが可能である。次のステップは、ブロック９１２で表され、そして望ましい線間隔の光源ならびに垂直および水平走査プロファイルの駆動条件を判定することを含む。このステップは、第２の軸の望ましい可変走査速度値を判定することと、画像データに必要な輝度レベルに応答する走査速度値を割り当てることと、第２の軸に沿って方向付けられた完全走査線に必要な全輝度レベルと反比例するように走査速度値を設定することと、および／または画像データに必要な輝度レベルに応答して走査線が不均一な間隔になるように構成することに関与することができ、画像データは、ビデオのｎ数の完全フレームを備えることができ、そしてあるフレームから別のフレームまでの固定数の走査線が存在する。次のブロック９１３は、ビデオの個々のフレームまたはサブフレームを走査する方法を割り当てることである。ブロック９１４は、ブロック９１３で割り当てられた奇数フレームまたは第１のサブフレームに対する第１のパターンに従った光ビーム１２ａの走査を表す。少なくとも１つの画像を形成するために第１のパターンの走査を画面の第１のエッジ１３ａから最終エッジ１４ａまで開始する。第１のパターンは、ビームが第２の軸（Ｙ軸）に沿って順次走査する時に第１の軸（Ｘ軸）に沿って振幅振動するような走査線の波動パターンであって、第２の軸は、第１の軸とほぼ垂直であり、そして第１のパターンは、第１の軸に沿って第１の方向に向いている第１のエッジからの第１の振動を有する。ブロック９１５は、ブロック９１３で割り当てられた偶数フレームまたは第２のサブフレームに対する第２のパターンに従った光ビーム１２ａの走査を表す。少なくとも別の画像を形成するために第１のパターンの走査を画面の第２のエッジ１３ａから第２の最終エッジ１４ａまで開始する。第２のパターンは、ビームが第２の軸に沿って順次走査する時に第１の軸に沿って振幅振動するような走査線の波動パターンであり、そして第２のパターンは、第１の軸に沿って第１の方向と反対である第２の方向に向いている第２のエッジからの第１の振動を有する。
【手続補正５】
【補正対象書類名】明細書
【補正対象項目名】００５２
【補正方法】変更
【補正の内容】
【００５２】
前述の説明は、本発明を実施する可能性の一部を示しているにすぎない。他の多くの実施形態は、発明の趣旨および範囲において実行可能である。従って、前述の説明は、限定するよりもむしろ説明のためものと見なされ、そして本発明の範囲は、添付の特許請求の範囲によってそれらの等価物の全範囲とともに与えられることを目的とする。例えば、本発明の多くの特徴は、小型プロジェクタの文脈において説明されているが、本発明は、他のプロジェクタシステムにも適用可能である。
本発明の好ましい実施形態を以下に示す。
付記１．走査する画像の画像データを受信するステップと、
前記画像データに応答して光ビームを発生させるステップと、
第１のエッジから第１の最終エッジまで第１のパターンに従って前記光ビームを走査して少なくともひとつの画像を形成するステップであって、前記第１のパターンは、前記光ビームが第２の軸に沿って順次走査する時に、第１の軸に沿って振幅が振動するような走査線の波動パターンであり、前記第２の軸は、前記第１の軸とほぼ垂直であり、前記第１のパターンは、前記第１の軸に沿って第１の方向に向いている前記第１のエッジからの第１の振動を有する、ステップと、
第２のエッジから第２の最終エッジまで第２のパターンに従って前記光ビームを走査して少なくとも別の画像を形成するステップであって、前記第２のパターンは、前記光ビームが前記第２の軸に沿って順次走査する時に、前記第１の軸に沿って振幅が振動するような走査線の波動パターンであり、前記第２のパターンは、前記第１の軸に沿って前記第１の方向と反対である第２の方向に向いている前記第２のエッジからの第１の振動を有する、ステップと、
を含む、方法。
付記２．複数の前記光ビームの第１のパターンおよび前記光ビームの第２のパターンを交互に走査するステップを含む、付記１に記載の方法。
付記３．ビデオのｎ個の完全のフレームになるように前記画像データを構成または処理するステップであって、ｎは、整数であり、前記第１のパターンは、前記ｎ個の完全なフレームのうちの奇数フレームに対応し、および前記第２のパターンは、前記ｎ個の完全なフレームのうちの偶数フレームに対応するステップを含む、付記２に記載の方法。
付記４．前記第１のエッジと前記第２のエッジとを一列に並べて前記第１の軸から等距離になるようにするステップを含む、付記３に記載の方法。
付記５．前記第１の軸に沿って方向付けられたｍ本の走査線を有するビデオのｎ個の完全なフレームになるように前記画像データを構成しまたは処理するステップと、
完全なフレームのそれぞれが第１のサブフレームおよび第２のサブフレームを備えるように構成するステップと、
前記ｍ本の走査線の一部の行を前記第１のサブフレームに割り当てるステップであって、前記第１のパターンは、前記第１のサブフレームに対応するステップと、
前記ｍ本の走査線の別の行を前記第２のサブフレームに割り当てることであって、前記第２のパターンは、前記第２のサブフレームに対応するステップと、
を含む、付記２に記載の方法。
付記６．前記第１のエッジと前記第２のエッジとを位置付けて前記第１の軸から異なる距離となるようにするステップを含む、付記１に記載の方法。
付記７．異なる色から成る少なくとも３つのレーザビームを用いて前記光ビームを発生させるステップを含む、付記２に記載の方法。
付記８．異なる色から成る前記光ビームを発生させるために少なくとも３つの発光ダイオードを用いるステップを含む、付記２に記載の方法。
付記９．少なくとも１つの走査ミラーを用いて、前記異なる色から成る３つのレーザビームを走査して前記光ビームを発生させるステップを含む、付記７に記載の方法。
付記１０．前記少なくとも３つの発光ダイオードを用いて、前記異なる色から成る光ビームを発生させるステップを含む、付記８に記載の方法。
付記１１．前記第２の軸において可変走査速度値を用いるステップを含む、付記１に記載の方法。
付記１２．前記画像データに必要な輝度レベルに応答する走査速度値を割り当てるステップを含む、付記１１に記載の方法。
付記１３．前記走査速度値を、前記第１の軸に沿って方向付けられた完全走査線に必要な全輝度レベルと反比例するように設定するステップを含む、付記１２に記載の方法。
付記１４．前記走査線が不均一な間隔になるように構成するステップであって、前記画像データは、ビデオの数ｎの完全なフレームを備え、およびあるフレームから別のフレームまでの固定数の走査線が存在する、ステップを含む、付記１に記載の方法。
付記１５．前記画像データに必要な輝度レベルに応答して走査線間隔値を割り当てるステップを含む、付記１４に記載の方法。
付記１６．前記走査線間隔値を、前記第１の軸に沿って方向付けられた前記画像データの完全な走査線に必要な全輝度レベルと反比例するように設定するステップを含む、付記１５に記載の方法。
付記１７．異なる色から成る少なくとも３つの異なる光ビームの発生源と、
表示面の前記光ビームを走査する手段と、
第１のパターンを発生させる手段であって、前記第１のパターンは、前記光ビームが前記第１の軸と垂直である第２の軸に沿って順次走査する時に、第１の軸に沿って振幅が振動するような走査線の波動パターンであり、前記第１のパターンは、前記第１の軸に沿って第１の方向に向いている第１のエッジからの第１の振動を有し、前記走査する手段は、表示面上の前記第１のエッジから第１の最終エッジまで前記第１のパターンに従って前記光ビームを走査して少なくとも１つの画像を形成するように適合される、手段と、
第２のパターンを発生させる手段であって、前記第２のパターンは、前記光ビームが前記第２の軸に沿って順次走査する時に、前記第１の軸に沿って振幅が振動するような走査線の波動パターンであり、前記第２のパターンは、前記第１の軸に沿って前記第１の方向と反対である第２の方向に向いている第２のエッジからの第１の振動を有し、前記走査する手段は、前記表示面の前記第２のエッジから第２の最終エッジまで前記第２のパターンに従って前記光ビームを走査して少なくとも別の画像を形成するように適合され、前記走査する手段は、前記光ビームの複数の前記第１のパターンおよび第２のパターンを交互に走査するように適合される、手段と、
を備える、小型プロジェクタ。
付記１８．前記走査する手段は、前記第１の軸に沿って方向付けられたｍ本の走査線を有するビデオのｎ個の完全なフレームになるように画像データを処理するように構成されるステップと、
前記走査する手段は、各完全なフレームが第１のサブフレームおよび第２のサブフレームを備えるようにさせるように構成され、
前記走査する手段は、前記ｍ本の走査線の奇数行を前記第１のサブフレームに割り当てるように構成され、前記第１のパターンが前記第１のサブフレームに対応し、
前記走査する手段は、前記ｍ本の走査線の偶数行を前記第２のサブフレームに割り当てるように構成され、前記第２のパターンが前記第２のサブフレームに対応することを特徴とする、付記１７に記載の小型プロジェクタ。
付記１９．前記走査する手段は、ビデオの数ｎの完全なフレームになるように前記画像データを処理するように構成され、ｎは、整数であり、前記第１のパターンは、前記数ｎの完全なフレームのうちの奇数フレームに対応し、および前記第２のパターンは、数ｎの完全なフレームのうちの前記偶数フレームに対応する、付記１７に記載の小型プロジェクタ。
付記２０．走査する手段は、前記走査線速度値が前記第１の軸に沿って方向付けられた完全走査線に必要な全輝度レベルと反比例するように前記画像データに必要な輝度レベルに応答して、前記第１のパターンおよび第２のパターンのそれぞれにおいて走査速度値を変えるように構成される、付記１７に記載の小型プロジェクタ。